【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
表示部に表示された第１の画面を介した操作を検出して、当該操作に応じた制御を行うことが可能な情報端末であって、
前記第１の画面の表示から、ユーザーによる片手での操作のための第２の画面の表示への切り替えのためのユーザーの操作を検出する検出手段と、
前記検出手段による前記操作の検出に応じて、前記表示部における一部の領域への第２の画面の表示を制御する制御手段と、を有し、
前記第２の画面は、前記第１の画面よりも相対的に小さい画面であって、
前記第２の画面には、前記第１の画面に配置されていた操作の対象となる複数のオブジェクトの一部または全てが縮小されて配置され、
前記第２の画面の表示に対応する前記一部の領域は、ユーザーの入力に従い前記表示部の範囲内で可変に設定することが可能であり、
前記制御手段は、前記第２の画面の表示に際して、前記第１の画面の表示へ戻すための制御オブジェクトを前記表示部に追加で表示するよう制御することを特徴とする情報端末。
【請求項２】
前記第１の画面は、前記表示部の全領域を利用して操作の対象となる前記複数のオブジェクトが配置される画面であることを特徴とする請求項１に記載の情報端末。
【請求項３】
ユーザーの入力に従う前記第２の画面の表示に対応する前記一部の領域の設定を記憶する記憶手段を、さらに有し、
前記制御手段は、前記記憶手段により記憶された設定に基づく一部の領域への前記第２の画面の表示を制御することを特徴とする請求項１または２に記載の情報端末。
【請求項４】
前記制御手段は、さらに、前記第２の画面の表示に対応する前記一部の領域の設定ために、前記表示部におけるユーザーの片手の操作する指で操作可能な範囲を入力させるための第３の画面の表示を制御し、
前記記憶手段は、前記第３の画面を介して入力された範囲に対応する設定を記憶することを特徴とすることを特徴とする請求項３に記載の情報端末。
【請求項５】
前記制御手段による制御は、前記携帯情報端末で起動されているプログラムが当該プログラムに対応するオブジェクトの配置を固定しておかなくてもよい場合に、実行されることを特徴とする請求項１乃至４のいずれか１項に記載の情報端末。
【請求項６】
前記第２の画面では、縮小されて配置される操作の対象となる前記複数のオブジェクトの一部または全ては、所定のサイズよりも大きくなるように表示が行われることを特徴とする請求項１乃至５のいずれか１項に記載の情報端末。
【請求項７】
前記第１の画面における前記複数のオブジェクトのそれぞれの位置に応じて、前記第２の画面において配置される当該複数のオブジェクトのそれぞれについて異なる縮小率により縮小して配置が行われることを特徴とする請求項１乃至６のいずれか１項に記載の情報端末。
【請求項８】
表示部に表示された第１の画面を介した操作を検出して、当該操作に応じた制御を行うことが可能な情報端末であって、
前記第１の画面の表示から、前記表示部の一部の領域における第２の画面の表示へ、切り替えるためのユーザーの操作を検出する検出手段と、
前記検出手段による前記操作の検出に応じて、前記表示部における前記一部の領域への第２の画面の表示を制御する制御手段と、を有し、
前記第２の画面は、前記第１の画面よりも相対的に小さい画面であって、
前記制御手段は、前記第２の画面の表示に際して、前記第１の画面の表示へ戻すための制御オブジェクトを前記表示部に追加で表示するよう制御することを特徴とする情報端末。
【請求項９】
前記第１の画面は、前記表示部の全領域を利用して操作の対象となる前記複数のオブジェクトが配置される画面であることを特徴とする請求項８に記載の情報端末。
【請求項１０】
ユーザーの入力に従う前記第２の画面の表示に対応する前記一部の領域の設定を記憶する記憶手段を、さらに有し、
前記制御手段は、前記記憶手段により記憶された設定に基づく一部の領域への前記第２の画面の表示を制御することを特徴とする請求項８または９に記載の情報端末。
【請求項１１】
前記第２の画面では、前記第１の画面に配置されていた操作の対象となる複数のオブジェクトの一部または全てが縮小されて配置されることを特徴とする請求項８乃至１０のいずれか１項に記載の情報端末。
【請求項１２】
前記第２の画面では、縮小されて配置される操作の対象となる前記複数のオブジェクトの一部または全ては、所定のサイズよりも大きくなるように表示が行われることを特徴とする請求項１１に記載の情報端末。
【請求項１３】
前記表示部は、ユーザーの操作を検出できるタッチパネルとして利用できることを特徴とする請求項８乃至１２のいずれか１項に記載の情報端末。
【請求項１４】
表示部に表示された第１の画面を介した操作を検出して、当該操作に応じた制御を行うことが可能な情報端末であって、
前記第１の画面の表示から、前記表示部の一部の領域における第２の画面の表示へ、切り替えるためのユーザーの操作を検出する検出手段と、
前記検出手段による前記操作の検出に応じて、前記表示部における前記一部の領域への第２の画面の表示を制御する制御手段と、を有し、
前記制御手段は、前記第１の画面に配置されていた操作の対象となる複数のオブジェクトを含む表示レイアウトを、前記第１の画面には配置されていなかったオブジェクトを前記表示部に追加で表示することで変更した上で、前記表示部における前記一部の領域への第２の画面の表示を制御することを特徴とする情報端末。
【請求項１５】
前記制御手段により追加で表示される前記オブジェクトは、前記第２の画面の表示から前記第１の画面の表示へ戻すための制御オブジェクトであることを特徴とする請求項１４に記載の情報端末。
【請求項１６】
前記第２の画面は、前記第１の画面よりも相対的に小さい画面であることを特徴とする請求項１４または１５に記載の情報端末。
【請求項１７】
前記第１の画面は、前記表示部の全領域を利用して操作の対象となる前記複数のオブジェクトが配置される画面であることを特徴とする請求項１６に記載の情報端末。
【請求項１８】
ユーザーの入力に従う前記第２の画面の表示に対応する前記一部の領域の設定を記憶する記憶手段を、さらに有し、
前記制御手段は、前記記憶手段により記憶された設定に基づく一部の領域への前記第２の画面の表示を制御することを特徴とする請求項１４乃至１７の何れか１項に記載の情報端末。
【請求項１９】
前記第２の画面では、前記第１の画面に配置されていた操作の対象となる複数のオブジェクトの一部または全てが縮小されて配置されることを特徴とする請求項１３乃至１６のいずれか１項に記載の情報端末。
【請求項２０】
前記表示部は、ユーザーの操作を検出できるタッチパネルとして利用できることを特徴とする請求項１３乃至１９のいずれか１項に記載の情報端末。
【請求項２１】
表示部に表示された第１の画面を介した操作を検出して、当該操作に応じた制御を行うことが可能な情報端末における表示制御方法であって、
前記第１の画面の表示から、ユーザーによる片手での操作のための第２の画面の表示への切り替えのためのユーザーの操作を検出する検出工程と、
前記操作の検出に応じて、前記表示部における一部の領域への第２の画面の表示を制御する制御工程と、を有し、
前記第２の画面は、前記第１の画面よりも相対的に小さい画面であって、
前記第２の画面には、前記第１の画面に配置されていた操作の対象となる複数のオブジェクトの一部または全てが縮小されて配置され、
前記第２の画面の表示に対応する前記一部の領域は、ユーザーの入力に従い前記表示部の範囲内で可変に設定することが可能であり、
前記制御工程では、前記第２の画面の表示に際して、前記第１の画面の表示へ戻すための制御オブジェクトを前記表示部に追加で表示するよう制御が行われることを特徴とする表示制御方法。
【請求項２２】
表示部に表示された第１の画面を介した操作を検出して、当該操作に応じた制御を行うことが可能な情報端末における表示制御方法であって、
前記第１の画面の表示から、前記表示部の一部の領域における第２の画面の表示へ、切り替えるためのユーザーの操作を検出する検出工程と、
前記操作の検出に応じて、前記表示部における前記一部の領域への第２の画面の表示を制御する制御工程と、を有し、
前記第２の画面は、前記第１の画面よりも相対的に小さい画面であって、
前記制御工程では、前記第２の画面の表示に際して、前記第１の画面の表示へ戻すための制御オブジェクトを前記表示部に追加で表示するよう制御が行われることを特徴とする表示制御方法。
【請求項２３】
前記第１の画面は、前記表示部の全領域を利用して操作の対象となる前記複数のオブジェクトが配置される画面であることを特徴とする請求項２２に記載の表示制御方法。
【請求項２４】
ユーザーの入力に従う前記第２の画面の表示に対応する前記一部の領域の設定を記憶する記憶工程を、さらに有し、
前記制御工程では、前記記憶された設定に基づく一部の領域への前記第２の画面の表示が制御されることを特徴とする請求項２２または２３に記載の表示制御方法。
【請求項２５】
前記第２の画面では、前記第１の画面に配置されていた操作の対象となる複数のオブジェクトの一部または全てが縮小されて配置されることを特徴とする請求項２２乃至２４のいずれか１項に記載の表示制御方法。
【請求項２６】
表示部に表示された第１の画面を介した操作を検出して、当該操作に応じた制御を行うことが可能な情報端末における表示制御方法であって、
前記第１の画面の表示から、前記表示部の一部の領域における第２の画面の表示へ、切り替えるためのユーザーの操作を検出する検出工程と、
前記操作の検出に応じて、前記表示部における前記一部の領域への第２の画面の表示を制御する制御工程と、を有し、
前記制御工程では、前記第１の画面に配置されていた操作の対象となる複数のオブジェクトを含む表示レイアウトを、前記第１の画面には配置されていなかったオブジェクトを前記表示部に追加で表示することで変更した上で、前記表示部における前記一部の領域への第２の画面の表示が制御されることを特徴とする表示制御方法。
【請求項２７】
前記制御工程で追加で表示される前記オブジェクトは、前記第２の画面の表示から前記第１の画面の表示へ戻すための制御オブジェクトであることを特徴とする請求項２６に記載の表示制御方法。
【請求項２８】
前記第２の画面は、前記第１の画面よりも相対的に小さい画面であることを特徴とする請求項２６または２７に記載の表示制御方法。
【請求項２９】
ユーザーの入力に従う前記第２の画面の表示に対応する前記一部の領域の設定を記憶する記憶工程を、さらに有し、
前記制御工程では、前記記憶された設定に基づく一部の領域への前記第２の画面の表示が制御されることを特徴とする請求項２６乃至２８の何れか１項に記載の表示制御方法。
【請求項３０】
前記第２の画面では、前記第１の画面に配置されていた操作の対象となる複数のオブジェクトの一部または全てが縮小されて配置されることを特徴とする請求項２６乃至２９のいずれか１項に記載の表示制御方法。
【請求項３１】
表示部に表示された第１の画面を介した操作を検出して、当該操作に応じた制御を行うことが可能なコンピュータに、
前記第１の画面の表示から、ユーザーによる片手での操作のための第２の画面の表示への切り替えのためのユーザーの操作を検出する検出工程と、
前記操作の検出に応じて、前記表示部における一部の領域への第２の画面の表示を制御する制御工程と、を実行させるためのプログラムであって、
前記第２の画面は、前記第１の画面よりも相対的に小さい画面であって、
前記第２の画面には、前記第１の画面に配置されていた操作の対象となる複数のオブジェクトの一部または全てが縮小されて配置され、
前記第２の画面の表示に対応する前記一部の領域は、ユーザーの入力に従い前記表示部の範囲内で可変に設定することが可能であり、
前記制御工程では、前記第２の画面の表示に際して、前記第１の画面の表示へ戻すための制御オブジェクトを前記表示部に追加で表示するよう制御が行われることを特徴とするプログラム。
【請求項３２】
表示部に表示された第１の画面を介した操作を検出して、当該操作に応じた制御を行うことが可能なコンピュータに、
前記第１の画面の表示から、前記表示部の一部の領域における第２の画面の表示へ、切り替えるためのユーザーの操作を検出する検出工程と、
前記操作の検出に応じて、前記表示部における前記一部の領域への第２の画面の表示を制御する制御工程と、を実行させるためのプログラムであって、
前記第２の画面は、前記第１の画面よりも相対的に小さい画面であって、
前記制御工程では、前記第２の画面の表示に際して、前記第１の画面の表示へ戻すための制御オブジェクトを前記表示部に追加で表示するよう制御が行われることを特徴とするプログラム。
【請求項３３】
ユーザーの入力に従う前記第２の画面の表示に対応する前記一部の領域の設定を記憶する記憶工程を、前記コンピュータにさらに実行させるためのプログラムであって、
前記制御工程では、前記記憶された設定に基づく一部の領域への前記第２の画面の表示が制御されることを特徴とする請求項３２に記載のプログラム。
【請求項３４】
前記第２の画面では、前記第１の画面に配置されていた操作の対象となる複数のオブジェクトの一部または全てが縮小されて配置されることを特徴とする請求項３２また３３に記載のプログラム。
【請求項３５】
表示部に表示された第１の画面を介した操作を検出して、当該操作に応じた制御を行うことが可能なコンピュータに、
前記第１の画面の表示から、前記表示部の一部の領域における第２の画面の表示へ、切り替えるためのユーザーの操作を検出する検出工程と、
前記操作の検出に応じて、前記表示部における前記一部の領域への第２の画面の表示を制御する制御工程と、を実行させるためのプログラムであって、
前記制御工程では、前記第１の画面に配置されていた操作の対象となる複数のオブジェクトを含む表示レイアウトを、前記第１の画面には配置されていなかったオブジェクトを前記表示部に追加で表示することで変更した上で、前記表示部における前記一部の領域への第２の画面の表示が制御されることを特徴とするプログラム。
【請求項３６】
前記制御工程で追加で表示される前記オブジェクトは、前記第２の画面の表示から前記第１の画面の表示へ戻すための制御オブジェクトであることを特徴とする請求項３５に記載のプログラム。
【請求項３７】
前記第２の画面は、前記第１の画面よりも相対的に小さい画面であることを特徴とする請求項３５または３６に記載のプログラム。
【請求項３８】
ユーザーの入力に従う前記第２の画面の表示に対応する前記一部の領域の設定を記憶する記憶工程を、を前記コンピュータにさらに実行させるためのプログラムであって、
前記制御工程では、前記記憶された設定に基づく一部の領域への前記第２の画面の表示が制御されることを特徴とする請求項３５乃至３７の何れか１項に記載のプログラム。
【請求項３９】
前記第２の画面では、前記第１の画面に配置されていた操作の対象となる複数のオブジェクトの一部または全てが縮小されて配置されることを特徴とする請求項３５乃至３８のいずれか１項に記載のプログラム。
【手続補正２】
【補正対象書類名】明細書
【補正対象項目名】発明の名称
【補正方法】変更
【補正の内容】
【発明の名称】情報端末、表示制御方法、およびプログラム
【手続補正３】
【補正対象書類名】明細書
【補正対象項目名】０００８
【補正方法】変更
【補正の内容】
【０００８】
上記課題を解決するために、本発明における情報端末は、表示部に表示された第１の画面を介した操作を検出して、当該操作に応じた制御を行うことが可能な情報端末であって、前記第１の画面の表示から、ユーザーによる片手での操作のための第２の画面の表示への切り替えのためのユーザーの操作を検出する検出手段と、前記検出手段による前記操作の検出に応じて、前記表示部における一部の領域への第２の画面の表示を制御する制御手段と、を有し、前記第２の画面は、前記第１の画面よりも相対的に小さい画面であって、前記第２の画面には、前記第１の画面に配置されていた操作の対象となる複数のオブジェクトの一部または全てが縮小されて配置され、前記第２の画面の表示に対応する前記一部の領域は、ユーザーの入力に従い前記表示部の範囲内で可変に設定することが可能であり、前記制御手段は、前記第２の画面の表示に際して、前記第１の画面の表示へ戻すための制御オブジェクトを前記表示部に追加で表示するよう制御することを特徴とする。